(57)【要約】【課題】原稿の両面を読み取ったときに、方向の異なる画像の画像データ、或いは白紙原稿の画像データが出力されないようにする。【解決手段】原稿の両面の画像を読み取り、表示する（Ａ）。裏面の画像が横方向の場合（Ｂ）、縦横変換キーを押下し、縦方向に変換する（Ｃ）。裏面の画像が倒立画像の場合（Ｄ）、正逆変換キーを押下し、正立画像に変換する（Ｅ）。裏面が白紙の場合（Ｆ）、削除キーを押し、画像を削除する（Ｇ）。これらの変更情報を記憶し、記憶した情報に基づいて、出力される画像データを変更する。【選択図】  図１５
2008118565.tif 000002
【特許請求の範囲】
【請求項１】
原稿の表面の画像を読み取り、表面画像データを生成する表面画像読取手段と、前記原稿の裏面の画像を読み取り、裏面画像データを生成する裏面画像読取手段と、前記表面画像データ及び裏面画像データを出力する画像データ出力手段と、前記原稿の表面の画像及び裏面の画像の方向の変更又は削除を指示するための変更指示手段と、前記変更指示手段による変更情報を記憶する変更情報記憶手段と、前記変更情報記憶手段に記憶されている変更情報に基づいて前記画像データ出力手段から出力される表面画像データ及び裏面画像データを変更する画像データ変更手段とを有することを特徴とする画像読取装置。
【請求項２】
請求項１記載の画像読取装置において、
前記表面画像データ及び裏面画像データに基づいて前記原稿表面の画像及び原稿裏面の画像を表示する画像表示手段を有し、前記変更指示手段は、前記画像表示手段に表示されている前記原稿表面の画像及び原稿裏面の画像の方向の変更又は削除を原稿毎かつ表裏毎に個別に指示可能であることを特徴とする画像読取装置。
【請求項３】
請求項１記載の画像読取装置において、
自動原稿搬送手段を有し、前記変更指示手段は、前記自動原稿搬送手段に積載されている複数枚の原稿を読み取る前に各原稿の表裏の画像の方向の変更又は削除を原稿毎かつ表裏毎に個別に指示可能であることを特徴とする画像読取装置。
【請求項４】
請求項１〜３のいずれかに記載の画像読取装置において、
前記変更指示手段は、縦方向と横方向の変更指示を行うための縦横変更指示手段、正方向と逆方向の変更指示を行うための正逆変更指示手段、削除の指示を行うための削除指示手段の少なくとも一つを有することを特徴とする画像読取装置。
【請求項５】
請求項１〜４のいずれかに記載の画像読取装置において、
前記変更指示手段による変更を行わないことを指示する完了指示手段と、該完了指示手段の出力に基づいて、前記画像データ出力手段を動作させる画像出力制御手段とを有することを特徴とする画像読取装置。
【請求項６】
請求項４又は５記載の画像読取装置において、
前記各指示手段は、前記画像表示手段に表示される個別の操作キーであることを特徴とする画像読取装置。
【請求項７】
請求項６記載の画像読取装置において、
原稿の画像の方向及び白紙の有無を確認するモードに設定する操作に応じて、前記操作キーを表示することを特徴とする画像読取装置。
【請求項８】
請求項６記載の画像読取装置において、
自動原稿搬送手段を有し、原稿プレビューモードに設定する操作に応じて、前記自動原稿搬送装置に積載されている全原稿の両面の画像を前記画像表示手段に表示し、前記変更指示手段により前記全原稿の表裏の画像の方向の変更又は削除を原稿毎かつ表裏毎に個別に指示可能にしたことを特徴とする画像読取装置。
【請求項９】
請求項１〜８のいずれかに記載の画像読取装置において、
通常モードに設定する操作に応じて、前記画像表示手段に原稿の画像を表示しないように制御することを特徴とする画像読取装置。
【請求項１０】
請求項１〜９のいずれかに記載の画像読取装置において、
前記裏面画像読取手段は、前記原稿自動搬送手段に搭載された密着型イメージセンサであることを特徴とする画像読取装置。
【請求項１１】
請求項１〜１０のいずれかに記載の画像読取装置と、該画像読取装置から出力される画像データに基づいて画像形成を行う画像形成手段とを有することを特徴とする画像形成装置。
【発明の詳細な説明】
【技術分野】
【０００１】
本発明は、原稿の表裏両面の画像を読み取ることのできる画像読取装置、及びそれを備えた画像形成装置に関し、詳細には、原稿表裏の画像の方向が異なる場合に読み取られた画像データの変更を可能にした画像読取装置及び画像形成装置に関する。
【背景技術】
【０００２】
複写機、画像蓄積装置、ファクシミリ装置、スキャナ装置、並びに複写機能、ファクシミリ機能、及びプリンタ機能を備えたデジタル複合機の画像情報入力手段として用いられる画像読取装置として、原稿の表裏両面の画像を自動的に読み取る機能を有するものがある。
【０００３】
ところで、原稿の中には、表面がポートレート画像（縦方向画像：縦方向に長い画像）、裏面がランドスケープ画像（横方向画像：横方向に長い画像）であったり、表面の画像と裏面の画像の天地（上下）が反対であったりするような、表面の画像の方向と裏面の画像の方向とが異なるものがある。また、ＡＤＦ（自動原稿搬送装置）にセットした多数の両面原稿の中に、表裏の画像の一方が白紙の片面原稿が混在していることもあり得る。
【０００４】
このような表裏の画像の方向の異なる原稿を読み取り、その画像データをメモリに蓄積した後にモニタに表示したり、用紙に画像形成を行ったりすると、モニタ上或いは用紙上の画像も原稿画像と同様、方向の異なる画像が混在してしまい、読み辛くなる。また、片面原稿の両面を読み取り、その画像データをメモリに蓄積した後にモニタに表示したり、用紙に画像形成を行ったりすると、画像が読み辛いだけでなくメモリや用紙が無駄になるという問題もある。原稿の表裏両面から読み取った画像データをメモリに蓄積する前に縮小画像をプレビュー表示することにより、原稿の表裏両面の画像を確認できるようにすることは提案されているが（特許文献１参照）、原稿の表裏の画像の方向が異なる場合や片面原稿が混在している場合については考慮されていない。
【０００５】
【特許文献１】特開平１１−３４１２３９号公報
【発明の開示】
【発明が解決しようとする課題】
【０００６】
本発明は、このような問題を解決するためになされたものであり、その目的は、原稿の両面を読み取ったときに、方向の異なる画像の画像データ、或いは白紙原稿の画像データが出力されないようにすることである。
【課題を解決するための手段】
【０００７】
請求項１の発明は、原稿の表面の画像を読み取り、表面画像データを生成する表面画像読取手段と、前記原稿の裏面の画像を読み取り、裏面画像データを生成する裏面画像読取手段と、前記表面画像データ及び裏面画像データを出力する画像データ出力手段と、前記原稿の表面の画像及び裏面の画像の方向の変更又は削除を指示するための変更指示手段と、前記変更指示手段による変更情報を記憶する変更情報記憶手段と、前記変更情報記憶手段に記憶されている変更情報に基づいて前記画像データ出力手段から出力される表面画像データ及び裏面画像データを変更する画像データ変更手段とを有することを特徴とする画像読取装置である。
請求項２の発明は、請求項１記載の画像読取装置において、前記表面画像データ及び裏面画像データに基づいて前記原稿表面の画像及び原稿裏面の画像を表示する画像表示手段を有し、前記変更指示手段は、前記画像表示手段に表示されている前記原稿表面の画像及び原稿裏面の画像の方向の変更又は削除を原稿毎かつ表裏毎に個別に指示可能であることを特徴とする。
請求項３の発明は、請求項１記載の画像読取装置において、自動原稿搬送手段を有し、前記変更指示手段は、前記自動原稿搬送手段に積載されている複数枚の原稿を読み取る前に各原稿の表裏の画像の方向の変更又は削除を原稿毎かつ表裏毎に個別に指示可能であることを特徴とする。
請求項４の発明は、請求項１〜３のいずれかに記載の画像読取装置において、前記変更指示手段は、縦方向と横方向の変更指示を行うための縦横変更指示手段、正方向と逆方向の変更指示を行うための正逆変更指示手段、削除の指示を行うための削除指示手段の少なくとも一つを有することを特徴とする。
請求項５の発明は、請求項１〜４のいずれかに記載の画像読取装置において、前記変更指示手段による変更を行わないことを指示する完了指示手段と、該完了指示手段の出力に基づいて、前記画像データ出力手段を動作させる画像出力制御手段とを有することを特徴とする。
請求項６の発明は、請求項４又は５記載の画像読取装置において、前記各指示手段は、前記画像表示手段に表示される個別の操作キーであることを特徴とする。
請求項７の発明は、請求項６記載の画像読取装置において、原稿の画像の方向及び白紙の有無を確認するモードに設定する操作に応じて、前記操作キーを表示することを特徴とする。
請求項８の発明は、請求項６記載の画像読取装置において、自動原稿搬送手段を有し、原稿プレビューモードに設定する操作に応じて、前記自動原稿搬送装置に積載されている全原稿の両面の画像を前記画像表示手段に表示し、前記変更指示手段により前記全原稿の表裏の画像の方向の変更又は削除を原稿毎かつ表裏毎に個別に指示可能にしたことを特徴とする。
請求項９の発明は、請求項１〜８のいずれかに記載の画像読取装置において、通常モードに設定する操作に応じて、前記画像表示手段に原稿の画像を表示しないように制御することを特徴とする。
請求項１０の発明は、請求項１〜９のいずれかに記載の画像読取装置において、前記裏面画像読取手段は、前記原稿自動搬送手段に搭載された密着型イメージセンサであることを特徴とする。
請求項１１の発明は、請求項１〜１０のいずれかに記載の画像読取装置と、該画像読取装置から出力される画像データに基づいて画像形成を行う画像形成手段とを有することを特徴とする画像形成装置である。
【０００８】
（作用）
本発明によれば、表裏の画像の方向の異なる原稿或いは表裏の一方が白紙の原稿の両面を読み取るときは、読取前、又は読取後の画像データの出力前に、ユーザによる方向変更指示或いは白紙画像データの削除指示を記憶し、その記憶内容に基づいて、出力される画像データに対し、画像方向の変更或いは白紙画像データの削除を行う。
【発明の効果】
【０００９】
本発明によれば、原稿の両面を読み取ったときに、方向の異なる画像の画像データ或いは白紙原稿の画像データが出力されないようにすることができる。
【発明を実施するための最良の形態】
【００１０】
以下、本発明の実施形態について図面を用いて説明する。
図１は本発明の実施形態の画像形成装置の概略構成を示す図である。本実施形態の画像形成装置は、システム制御ユニット１、画像読取ユニット（スキャナ）２、画像処理ユニット３、画像書き込みユニット４、操作部ユニット５、複写機機能部６、画像表示ユニット７、ドラムユニット８、中間転写部９、現像部10、給紙部11、及び定着部12を備えている。ここで、操作部ユニット５と、画像表示ユニット７とを個別に設ける代わりに、切替えて使用することのできる１つのユニットとして構成してもよい。
【００１１】
図２は図１の画像読取ユニット１の構成を示す図である。この画像読取ユニット１の上部にはシートスルー方式のＡＤＦ21が設けられ、下部には縮小光学読取装置22が設けられている。
【００１２】
ＡＤＦ21は、原稿を載置するための原稿トレイ211と、原稿の画像を読み取り、アナログの電気信号に変換するＣＩＳ（Contact Image Sensor：密着型イメージセンサ）213と、読取後の原稿が排出される排紙トレイ212とを備えている。また、ピックアップローラ214、搬送ドラム215、及び排紙ローラ216などからなる原稿搬送機構を備え、原稿トレイ211に載置された原稿をＣＩＳ213に対向する位置を経て排紙トレイ212へ搬送するように構成されている。ＣＩＳ213は、図示しないＬＥＤ光源、セルフォックレンズアレイ、センサ素子、Ａ／Ｄ変換回路、デジタル処理回路等で構成されている。
【００１３】
縮小光学読取装置22は、キセノンランプ221とミラーを有する第１キャリッジ222と、２枚のミラーを有する第２キャリッジ223と、レンズ224と、３ラインＣＣＤ（Charge Coupled Device：電荷結合素子）センサ225と、３ラインＣＣＤセンサ225及び３ラインＣＣＤセンサ225からの信号を処理する信号処理部を搭載したセンサボードユニット226と、第１キャリッジ222及び第２キャリッジ223を駆動する図示しない駆動部を備えている。また、縮小光学読取装置22の上面には、第1コンタクトガラス227及び第２コンタクトガラス228が設けられている。
【００１４】
この画像読取装置は、原稿を静止させて原稿の片面の画像を読み取る原稿静止読取モード、ＡＤＦ21により原稿を搬送させながら原稿の片面の画像を読み取る原稿走行読取モード、ＡＤＦ21により原稿を搬送させながら、原稿の両面の画像を読み取る原稿両面読取モードで、原稿の画像の読取を行えるように構成されている。これらの読取モードは、操作部ユニット５を用いてユーザにより設定される。
【００１５】
原稿静止読取モードでは縮小光学読取装置22内の３ラインＣＣＤセンサ225によって読取を行い、原稿走行読取モードではＡＤＦ21内のＣＩＳ213或いは縮小光学読取装置22内の３ラインＣＣＤセンサ225によって読取を行う。また、原稿両面読取モードでは、ＡＤＦ21内のＣＩＳ213、及び縮小光学読取装置22内の３ラインＣＣＤセンサ225の双方を同時に用いて読取を行う。
【００１６】
原稿静止読取モードでは、原稿を下向きにして第２コンタクトガラス228上に載置する。この原稿の画像を読み取るとき、第１キャリッジ222は、光源であるキセノンランプ221を点灯させ原稿下面に光を照射させながら、第２コンタクトガラス228に沿って、左から右に一定速度で移動する。第２キャリッジ223は、第１キャリッジ222の移動速度の１／２の速度で第１キャリッジ222に追従する。原稿からの反射光は第１キャリッジ222のミラーを介し、第２キャリッジの２枚のミラーを介し、レンズ224により３ラインＣＣＤセンサ225に結像する。３ラインＣＣＤセンサ225では結像した光信号をアナログの画像信号に変換し、センサボードユニット226の信号処理部はアナログの画像信号に後述する所定の処理を施し、画像処理ユニット3へ出力する。
【００１７】
原稿走行読取モードは、縮小光学読取装置22の第１キャリッジ223が第１コンタクトガラス227の下方位置に固定された状態で、ＡＤＦ21の原稿トレイ211に積載された原稿を原稿搬送機構により搬送し、第１コンタクトガラス227上を通過する際に原稿の表面を読み取るか、又はＡＤＦ21のＣＩＳ213に対向する位置を通過するときに原稿の裏面を読み取る。どちらの面を読み取るかは、ユーザにより操作部ユニット５から設定され、片面の画像データのみが処理される。原稿の表面を読み取る場合は、原稿静止読取モードと同様、原稿からの反射光は第１キャリッジ222のミラーを介し、第２キャリッジ223の２枚のミラーを介し、レンズ224により３ラインＣＣＤセンサ226に結像する。原稿の裏面をＣＩＳ213で読み取る場合、ＣＩＳ213内のＬＥＤ光源により原稿を照明し、原稿からの反射光をＣＩＳ213内のセルフォックレンズアレイでセンサ素子に集光してアナログの画像信号に変換する。この画像信号は、３ラインＣＣＤセンサ225から出力される画像信号と同様、画像処理ユニット３へ出力される。
【００１８】
原稿両面読取モードは、ＡＤＦ21の原稿トレイ211に積載された原稿を原稿搬送機構により搬送し、一回の原稿搬送で３ラインＣＣＤセンサ225とＣＩＳ213の両方で表裏両面の画像を読み取り、両面の画像データを処理する。
【００１９】
画像処理ユニット３では、画像読取ユニット１から入力した画像データに対し、スキャナγ補正、色変換、主走査変倍、画像分離、加工、エリア処理、階調補正処理などの画像処理を施し、画像書き込みユニット４へ送る。画像書き込みユニット４では、画像データに応じてＬＤ（レーザーダイオード）の駆動信号を変調する。ドラムユニット８では一様に帯電された回転する感光体ドラムに前記ＬＤからのレーザービームにより潜像を書き込み、現像部10によりトナーを付着させて顕像化させる。
【００２０】
感光体ドラム上に形成されたトナー画像は、中間転写部９の中間転写ユニットの転写ベルト上に転写される。フルカラーコピーの場合、中間転写ベルト上には４色（Ｂｋ：ブラック、Ｃ：シアン、Ｍ：マゼンタ、Ｙ：イエローの４色）のトナーが順次重ねれ、４色の作像・転写工程が終了した時点で中間転写ベルトとタイミングを合わせて、給紙部11より転写紙が給紙され、紙転写部で中間転写ベルトから４色同時に転写紙にトナーが転写される。トナーが転写された転写紙は搬送部を経て定着部12に送られ、定着ローラと加圧ローラとによって熱定着され、排紙される。
【００２１】
コピーモード等のユーザが設定すべき条件は、操作部ユニット５から入力される。設定されたコピーモード等の操作モードはシステム制御ユニット１へ送られ、システム制御ユニット１では設定されたコピーモードを実行するための制御処理を行う。このとき、システム制御ユニット１から、画像読取ユニット２、画像処理ユニット３、画像書き込みユニット４、画像表示ユニット７等に対して制御指示を行う。
【００２２】
画像表示ユニット７に原稿の画像を表示するときは、システム制御ユニット１からの制御指示により、画像読取ユニット２が原稿画像の読取を行って、画像データを画像処理ユニット３へ送り、画像処理ユニット３は、画像読取ユニット２からの画像データに対して、画像表示ユニット７で表示するのに適した画像処理を施した後に画像表示ユニット７へ送る。
【００２３】
図３は画像表示ユニット７の回路構成を示すブロック図である。画像処理ユニット７は、ＦＩＦＯ（ラインバッファ）71、ＤＲＡＭ（画像データ格納用メモリ）72、ＣＰＵ73、ＶＲＡＭ（ビデオメモリ）74、ＬＣＤコントローラ75、ＬＣＤ（液晶パネル）76、ＲＯＭ77、ＳＲＡＭ78、シリアル通信ドライバ79、画像データバッファ（ドライバ／レシーバ）80、及びキーボード81からなる。
【００２４】
画像処理ユニット３から出力された画像データは、画像表示ユニット７の画像データバッファ80を介してＦＩＦＯ71に入力され、ＣＰＵ73内蔵のＤＭＡコントローラによって、画像データ格納用のＤＲＡＭ72に格納される。画像表示ユニット７のＣＰＵ73には、システム制御ユニット１から画像データ制御信号がシリアル通信ドライバ79に入力され、有効画像データ（有効画像領域の画像データ）のみをＤＲＡＭ72に格納するように制御する。ＤＲＡＭ72に格納された有効画像データは、ＣＰＵ73によってＶＲＡＭ24にＤＭＡ転送される。このとき、ＣＰＵ73によってＤＲＡＭ72内の画像データの任意の部分の転送、拡大・縮小・間引き、回転（縦横変換・正逆変換）などの処理を行うことも可能である。また、複数の画像を縮小し、プレビュー表示することも可能である。ＶＲＡＭ74に転送された画像データは、ＬＣＤコントローラ75の制御によりＬＣＤ76に表示される。
【００２５】
図４は画像表示ユニット７の外観、つまり図３のＬＣＤ76及びキーボード81の外観の平面図である。この図に示すように、画像表示ユニット７は平面視が略矩形であり、その中央部にディスプレイ309が配置され、その下側に各種キーが配置されている。ディスプレイ309には、原稿の画像、原稿の目安寸法を示すスケール310、及びカーソル311が表示される。各種キーとしては、原稿読取を開始するためのスタートキー301、表示倍率を指定するための画面倍率指定キー302、ディスプレイ309上のカーソル311を移動させるカーソルキー303、カーソル311が示している点を指定する点指定キー304、エリア指定時に始点と終点を結ぶための閉じるキー306、最後に入力した点を取り消すためのクリアキー307、指定したすべての点を取り消すためのオールクリアキー308がある。また、矩形の枠の下面にはディスプレイ309の明るさを調整するための明るさ調整つまみ312、及びディスプレイ309のコントラストを調整するためのコントラスト調整つまみ313が設けられている。画像表示ユニット７は、表示されている原稿画像のエリアや原稿色等の指定などのディスプレイエディター機能を有する。
【００２６】
図５は操作部ユニット５の外観を示す平面図である。操作部ユニット５は、テンキー41、モードクリア／予熱キー42、割り込みキー43、画質調整キー44、プログラムキー45、プリントスタートキー46、クリア／ストップキー47、エリア加工キー48、輝度調整つまみ49、ＬＣＤ（液晶パネル）上に配置されたタッチパネル50、及び両面原稿モード選択キー51を有する。
【００２７】
テンキー41はコピー枚数などの数値入力を行う場合に使用する。モードクリア／予熱キー42は設定したモードを取り消して初期設定に戻す場合や、一定時間以上の連続押下で予熱状態とする設定を行う場合に使用する。割り込みキー43はコピー中の割り込みや、別の原稿のコピーを行う場合に使用する。画質調整キー44は画質の調整を行うときに使用する。プログラムキー45はよく使用するモードの登録や呼出を行う場合に使用する。プリントスタートキー46はコピー開始を指示するためのキーである。クリア／ストップキー47は入力した数値をクリアする場合や、コピー途中でコピーを中断する場合に使用する。エリア加工キー48は画像表示ユニット７（ディスプレイエディター）上で、エリア加工・編集等のモードを使用する場合に使用する。輝度調整つまみ49はＬＣＤの画面の明るさを調整する。また、タッチパネル50はＬＣＤ上に表示された各種のキーの範囲と同じ範囲にキーエリアを設定して、タッチパネルが前記設定された範囲内の押下を検出すると、その設定されたキーの処理を行う。両面原稿モード選択キー51はユーザが両面原稿の表示方向及び白紙状態の確認・変更設定を選択する場合に使用する。
【００２８】
図６は操作部ユニット５のＬＣＤ上に形成されるタッチパネルキーの一例を示す平面図である。この図に示すように、ＬＣＤ上には、カラーモード、自動濃度、マニュアル濃度、画質モード、自動用紙選択、用紙トレイ、用紙自動変倍、等倍、ソート、スタック等のモード選択表示があり、さらにクリエイト、カラー加工、両面、変倍等のサブ画面選択表示もある。各表示の大きさと同様の大きさのキーがタッチパネル50上に設定されている。
【００２９】
図７に図６の変倍キー押下による画面展開の一例を示す。変倍キーが押下されると、画面下方から変倍設定画面がスクロールアップされる。変倍設定画面には定型変倍（予め変倍率が設定されている変倍モード）用のキーが設定されている。例えば７１％の部分のタッチパネルキーを押下すると、変倍率７１％が選択される。またこの画面には定型変倍以外の変倍モードを選択するため、ズームキー、寸法変倍キー、独立変倍／拡大連写キーが画面左側に設定されている。
【００３０】
図８はタッチパネル検出回路を示す図である。コントローラ501は、検出／測定端子とＸ／Ｙ端子に供給する２値信号の値及びタッチパネル50の各端子Ｘ1，Ｘ2、Ｙ1，Ｙ2を図９示すように設定して、タッチパネル50の押下位置を検出する。端子Ｙ2は抵抗Ｒ＋５Ｖの電源にプルアップされている。
【００３１】
検出／測定端子及びＸ／Ｙ端子が０のときは、オア回路502の出力がＬ（低電位）、インバータ512の出力がＨ（高電位）になり、アナログスイッチ503がオン、アナログスイッチ504がオフとなってゲート505及び506がＺ（ハイインピーダンス状態）になり、端子Ｘ2がＺになるとともに端子Ｘ1がＡ／Ｄコンバータ507の入力側Ｖinに接続される。さらに、インバータ508及び509の出力がＨになってゲート510及び511がオンし、端子Ｙ２がＬになって端子Ｙ１がＨになる。
【００３２】
また、検出／測定端子が０でＸ／Ｙ端子が１のときには、オア回路502の出力及びインバータ509の出力がＨになってアナログスイッチ504がオン、アナログスイッチ503がオフとなり、ゲート505及び506がオンして端子Ｘ2がＬになる。そして、インバータ508の出力がＬになってゲート510及び511がＺとなり、端子Ｙ2がＺになる。さらに、端子Ｘ1がＨになって端子Ｙ1がＡ／Ｄコンバータ507の入力側Ｖinに接続される。
【００３３】
検出／測定端子が１になったときにはオア回路502の出力がＨになってアナログスイッチ504がオン、アナログスイッチ503がオフとなり、ゲート505及び506がオンして端子Ｘ2がＬになる。そして、インバータ508の出力がＬになってゲート510及び511がＺとなり、端子Ｙ2がＺになる。さらに、インバータ509の出力がＬになって端子Ｘ1がＬになり、端子Ｙ1がＡ／Ｄコンバータ507の入力側Ｖinに接続される。このとき、端子Ｙ2は抵抗Ｒでプルアップされているため、タッチパネルキー50がオフであれば、Ａ／Ｄコンバータ507の入力側ＶinがＨとなり、タッチパネルキー50がオンすれば、Ａ／Ｄコンバータ507の入力側Ｖinが０Ｖになる。
【００３４】
従って、コントローラ501は、Ａ／Ｄコンバータ507の出力からタッチパネルキー50のオン／オフ状態を確認する。コントローラ501は、タッチパネルキー50のオン状態を検知すると、検出／測定端子を０として測定モードを切り替え、Ｘ／Ｙ端子を１としてＸ方向位置を入力する。このとき、端子Ｘ1が＋５Ｖで端子Ｘ2が０Ｖになり、タッチパネルキー50の押下位置の電位が端子Ｙ1を通してＡ／Ｄコンバータ507によりデジタル値に変換されてコントローラ501に入力される。また、コントローラ501は、Ｘ／Ｙ端子を０としてＹ方向位置を入力する。このとき、端子Ｙ1が＋５Ｖで端子Ｙ2が０Ｖになり、タッチパネルキー50の押下位置の電位が端子Ｘ1を通してＡ／Ｄコンバータ507によりデジタル値に変換されてコントローラ501に入力される。このようにしてタッチパネルキー50の押下位置が検出される。
【００３５】
図１０は操作部ユニッ５の回路構成を示すブロック図である。図１０において、ＣＰＵ104からのアドレス信号はアドレスラッチ105に取り込まれ、ここでＣＰＵ104からの信号により制御される。アドレスラッチ105からのアドレス信号は、その一部がアドレスデコーダ106でデコードされて、ＬＣＤコントローラ101、ＲＯＭ107、ＬＥＤドライバ108などの各ＩＣへのチップセレクト信号となり、メモリマップの作成に使用される。また、アドレスラッチ105からのアドレス信号は、ＲＯＭ107等のメモリやＬＣＤコントローラ101に入力されてアドレス指定に使用される。
【００３６】
また、ＣＰＵ104はデータバスを介してメモリやＬＣＤコントローラ101に接続されており、これらとデータの双方向通信を行う。ＬＣＤコントローラ101には、タッチパネル50、ＬＣＤモジュールからなるＬＣＤ102、ＬＣＤドライバ108、キーボード109、データ表示用のＲＯＭ110及びＲＡＭ111等が接続されている。ＬＣＤコントローラ101は、キーボード109からの信号やタッチパネル50からの信号に基づいて、ＲＯＭ110及びＲＡＭ111のデータから表示データを作成してＬＣＤ102上の表示を制御する。
【００３７】
さらに、ＣＰＵ104は、光トランシーバ112を介して光ファイバー用コネクタが接続されており、外部と双方向通信を行う。ＣＰＵ104は、外部から光トランシーバ112を介してコマンドを受け取ると、ＬＣＤ102上の表示内容を決定して、予めＲＯＭ107に記憶されている画面データであるＣＧＲＯＭ用コードをＲＡＭ111上に展開し、ＬＣＤコントローラ101がそのＣＧＲＯＭ用コードをＲＯＭ110により多数のビットパターンに変換してＬＣＤ102上に表示させる。また、ＣＰＵ104はシステムリセット部113を介してアドレスデコーダ106とデータの送受を行う。
【００３８】
図１１は本実施形態の画像形成装置のシステム制御ユニット１、画像読取ユニット２、画像処理ユニット３、操作部ユニット５、複写機機構部６、及び画像表示ユニット７の電気的接続関係、並びに画像読取ユニット２及び画像処理ユニット３の回路構成を示すブロック図である。ここで、画像読取ユニット２及び画像処理ユニット３は、スキャナ・ＩＰＵ（Image Processing Unit）部として、同一基板上に形成されている。
【００３９】
図１１において、スキャナ・ＩＰＵ部上のＣＰＵ301はＲＯＭ302に格納されたプログラム実行し、ＲＡＭ303にデータ等を読み書きすることで、スキャナ・ＩＰＵ部の全体の制御を行う。また、システム制御ユニット１とシリアル通信で接続されおり、コマンド及びデータの送受信により指令された動作を行う。さらに、システム制御ユニット１は操作部ユニット５とシリアル通信で接続されており、ユーザからのキー入力指示により動作モード等の指示を設定することができる。ここでは、ＡＤＦ21（図２）により原稿を搬送させながら原稿の両面の画像を読み取る原稿両面読取モードの場合の動作を説明する。
【００４０】
ＣＰＵ301はＩ／Ｏ306である原稿検知センサ、ＨＰ（ホームポジション）センサ、圧板開閉センサ、冷却ファン等に接続されおり、検知及びオン／オフの制御を行う。モータドライバ307はタイミング回路312からのＰＷＭ（パルス幅変調）出力によりドライブされ、励磁パルスシーケンスを発生し、原稿走査駆動用のパルスモータ308を駆動する。
【００４１】
ランプインバータ309に駆動されたキセノンランプ221からの光は原稿表面で反射し、３ラインＣＣＤセンサ225に結像する。３ラインＣＣＤセンサ225はスキャナ・ＩＰＵ部上のタイミング回路312によって、各駆動クロックを与えられて各ＲＧＢのｏｄｄ（奇），ｅｖｅｎ（偶）のアナログ画像信号をエミッタホロワ313〜315に出力している。エミッタホロワ313〜315からアナログ処理回路（316〜318）へ入力された信号は、ここで通常のサンプルホールド又はＣＤＳ（相関二重サンプリング）を施される。どちらを実行するかはＣＰＵ301からの設定によって選択可能である。また、アナログ処理回路316〜318では、その他の処理として、３ラインＣＣＤセンサ225のオプティカルブラック部でのクランプ、ｏｄｄとｅｖｅｎの出力差の補正、ＲＧＢそれぞれのアンプゲインの調整を行う。ゲイン調整後のアナログ画像信号はマルチプレクサで合成され、最終的にＤＣレベルのオフセット調整を施された後にＡ／Ｄコンバータ319〜321に入力される。
【００４２】
Ａ／Ｄコンバータ319〜321へ入力されたアナログ画像信号はデジタル化されてＲＧＢ用のシェーディング補正回路322へ入力される。シェーディング補正回路322ではキセノンランプ221などの照明系の光量不均一や３ラインＣＣＤセンサ225の画素出力のバラツキを補正する機能を持っている。シェーディング補正された画像データはＲ用のライン間補正メモリ323，Ｇ用のライン間補正メモリ324に入力され、３ラインＣＣＤセンサ225のＢとＧ、ＢとＲのライン数の画像データをメモリで遅延させてＢＧＲの読取画像の１ライン以上の位置合わせを行い、ＲＧＢ用のドット補正部325へ出力する。
【００４３】
ドット補正部325では、ライン間補正メモリ323，324から出力された画像データを構成するＲＧＢデータの１ライン以内ドットのズレを補正し、ＲＧＢ用のスキャナγ補正部326へ出力する。スキャナγ補正部326では、ＲＯＭ302に記憶されているルックアップテーブルを用いて、反射率リニアデータを補正する。この補正後の画像データは自動原稿色判定回路328と自動画像分離回路329とＲＧＢ用のディレーメモリ327を介して、ＲＧＢフィルタ、ＹＭＣＫ色変換部、変倍処理部、及びクリエイト部からなる画像処理ブロック330に入力される。
【００４４】
自動原稿色判定回路328では、ＡＣＳ（有彩／無彩判定）処理、即ち有彩色であるか、無彩色(黒、灰色)であるかの判定を行う。自動画像分離回路329ではエッジ判定（白画素と黒画素の連続性により判定）、網点判定（画像中の山／谷ピーク画素の繰り返しパターンにより判定）、及び写真判定（文字・網点外で画像データがある場合）を行い、文字及び印刷（網点）部、並びに写真部の領域を判定してＣＰＵ301に伝える。これらの判定結果は、後段のＲＧＢフィルタ、ＹＭＣＫ色変換、プリンタγ補正、ＹＭＣＫフィルタ、階調処理におけるパラメータや係数の切り換えに使用される。
【００４５】
画像処理ブロック330のＲＧＢフィルタに入力された画像データは、ＲＧＢのＭＴＦ（Modulation Transfer Function：変調伝達関数）補正、平滑化、エッジ強調、スルー等を施される。これらのフィルタ係数は、自動原稿色判定回路328及び自動画像分離回路329で判定された領域に応じて切り換え設定される。ＹＭＣＫ色変換部ではＲＧＢデータからＹＭＣＫへの変換、ＵＣＲ（Under Color Removal：下地色除去）処置、及びＵＣＡ（Under
Color Addition：下地色付加）処理を実行する。変倍処理部では、入力された主走査方向の画像データに対して拡大／縮小処理を実行する。画像表示ユニット７への分岐はこの処理後に行われる。クリエイト部ではクリエイト編集及びカラー加工を行う。クリエイト編集では斜体、ミラー、影付け、中抜き処理等を実行する。カラー加工では、カラー変換、指定色消去、アンダーカラー（原稿全体に色を付ける処理）、回転（縦横変換、正逆変換）・画像削除等を実行する。
【００４６】
画像処理ブロック330の出力は、ＹＭＣＫフィルタ、プリンタγ補正部、階調処理部、ビデオコントロール部、及び書き込み処理部からなる画像処理ブロック331に入力される。この画像処理ブロック331では、自動原稿色判定回路328及び自動画像分離回路329で判定された領域に応じて、ＹＭＣＫフィルタのフィルタ係数及びプリンタγ補正部の係数が設定される。階調処理部はディザ処理を実行し、ビデオコントロール部では書き込みタイミング設定や画像領域、白抜き領域の設定やグレースケールやカラーパッチ等のテストパターン発生を行うことができ、書き込み処理部はＬＤへ出力できるように画像データを処理し、ＬＤへ出力する。
【００４７】
以上、縮小光学読取装置22の３ラインＣＣＤセンサ225の出力、即ち原稿表面の画像データの処理について説明した。ここで、３ラインＣＣＤセンサ225からライン間補正メモリ323，324までが画像読取ユニット２、ドット補正部325以後が画像処理ユニット３である。
【００４８】
次にＡＤＦ21のＣＩＳ213の出力、即ち原稿裏面の画像データの処理について説明する。ＡＤＦ制御部333はシステム制御部４とシリアル通信を行い。コマンド及びデータの送受信によりシステム制御部４から指令された動作を行う。ＡＤＦ_Ｉ／Ｏ334は図示しない搬送モータ、給紙モータ、各種クラッチ等の負荷、レジストセンサ、搬送センサ、排紙センサ等のセンサからなり、ＡＤＦ制御部333からのオン／オフ制御及び検知が行われる。ＣＩＳ213もＡＤＦ制御部333からのコマンド及び駆動クロックを入力し、原稿裏面の画像の読取を行う。前述のように、ＣＩＳ213は、ＬＥＤ光源、セルフォックレンズアレイ、センサ素子、Ａ／Ｄ変換回路、デジタル処理回路等を備えており、その画像データ出力はＬＶＤＳ（Low Voltage Differential Signaling）で後段の画像処理部336へ入力される。この画像処理部336では、入力された画像データに対し、前述した縮小光学読取装置22の画処理ブロック323〜331と同等の処理を施し、ＬＤへ出力する。また、読み取られた画像データは原稿表面の画像データと同様に画像表示ユニット７へ出力される。
【００４９】
画像ユニット７には、原稿表面の画像及び原稿裏面の画像が並べて表示される。このとき、ユーザは、表示されている原稿の表裏の画像を変更したい場合がある。その一例は表面と裏面とで原稿の画像の方向が異なる場合である。この場合、画像データのファイルを作成し、それをパーソナルコンピュータ(以下、ＰＣ)上で開いて表示すると、表示方向は一定（例：縦方向出力）であるため、例えば横方向画像が縦に表示されてしまい、非常に読み辛くなる。そこで、本実施形態では、原稿の表裏の画像を画像表示ユニット７に同時に表示し、ユーザが原稿の表面と裏面の画像の方向を確認して縦方向、横方向のどちらで出力するかを変更できるようにするとともに、その変更情報を記憶し、この記憶した変更情報を基づいて画像データの出力を行うことで、画像の方向を統一し、読み易くする。
【００５０】
別の例は原稿の表裏の一方は白紙の場合である。この場合、画像データのファイルを作成し、それをＰＣ上で開いて表示すると、白紙表示となり、非常に読み辛くなる。また、全く無駄な白紙のデータが画像ファイルに含まれるので、ＰＣのメモリの容量が無駄になる。そこで、本実施形態では、原稿の表裏の画像を画像表示ユニット７に同時に表示し、ユーザが原稿の表面又は裏面の白紙の有無を確認して白紙の場合は画像データを出力しないように変更できるようにし、この変更情報を基づいて画像データの出力を行うことで、白紙の画像表示を無くして読み易くすることができ、かつメモリの容量の無駄を無くすことできる。また、画像データに基づいて画像形成（コピー出力）を行った場合は、白紙が省かれることにより無駄なコピー出力がなくなり、紙資源が有効に利用されて環境改善につながる。
【００５１】
上述した原稿の表裏の画像を確認し、必要に応じて方向を変更したり、白紙の画像データを削除したりすることは、ユーザが両面原稿変更モード選択キー51を押下することで実行可能になる。以下、図１２に示す両面原稿変更モード選択の処理のフローチャートを参照しながら説明する。
【００５２】
まず、両面原稿変更モード選択キー51が押下されたか否かを判断し（ステップＳ１）、押下された場合は、図１３に示すようなモード選択画面を図５のタッチパネル50に表示する（ステップＳ３）。モード選択画面には、通常モード選択キー521、原稿方向・白紙確認変更モード選択キー522、原稿プレビュー確認変更モード選択キー523、及び原稿読取前変更モード選択キー524が表示される。
両面原稿変更モード選択キー51が押下されていない場合は、通常モードでリターン（ＲＥＴ）する（ステップＳ２）。通常モードでは、画像表示ユニット７には原稿の画像を表示しない。
【００５３】
モード選択画面が表示された後は、モード選択画面上の各選択キーの押下により、図１２のフローチャートで示すようにサブルーチンの各動作を実行する。ただし、原稿の両面の画像の確認及び変更を行わずに元の状態に戻したい場合は、通常モードキー521を押下することで（ステップＳ４:YES）、通常モードでリターン（ＲＥＴ）される（ステップＳ５）。
【００５４】
原稿方向・白紙確認変更モード選択キー522が押下された場合、（ステップＳ６:YES）、原稿方向・白紙確認変更モード動作を実行し（ステップＳ７）、原稿プレビュー確認変更モード選択キー523が押下された場合、（ステップＳ８:YES）、原稿プレビュー確認変更モード動作（ステップＳ９）を実行し、原稿読取前変更モード選択キー524が押下された場合、（ステップＳ１０:YES）、原稿読取前変更モード動作（ステップＳ１１）を実行する。
【００５５】
原稿方向・白紙確認変更モードは、表面画像及び裏面画像を画像表示ユニット７のディスプレイ309に同時に表示して、ユーザによる確認及び変更を可能にしたモードである。原稿プレビュー確認変更モードは、ＡＤＦ21に積載されている全原稿の両面の画像を縮小してプレビュー表示し、全原稿の表裏の画像の方向及び白紙の有無を確認し、出力する画像データを変更できるモードである。原稿読取前変更モードは、原稿両面の画像表示を行わずに、何枚目の原稿の画像を変更するかを操作部ユニット５のテンキー41から入力して、表示方向変更と削除変更を行うモードである。このモードでは、全原稿の表面と裏面に対して、それぞれ同じ変更を与える場合は固定変更を設定することで効率良く設定できる。次に、各モードについて詳細に説明する。
【００５６】
原稿方向・白紙確認変更モード動作（ステップＳ７）のサブルーチンを図１４に示す。まず、原稿方向・白紙確認変更画面を画像表示ユニット７のディスプレイ309に表示する（ステップＳ２１）。この画面には、図１５Ａに示すように、１枚の原稿の表裏の画像、原稿の表裏の画像に対する縦横変換キー、正逆変換キー、及び削除キー、並びに完了キーが表示される。
【００５７】
次いで、原稿方向・白紙確認変更画面でどのキーが押下されたかに応じて、ステップＳ２２〜Ｓ３４の処理を実行する。
例えば、図１５Ｂでは、表面の画像が縦方向、裏面の画像が横方向であるため、裏面の画像が読み難い方向となる。そこで、裏面側の縦横変換キーを押下し、完了キーを押下すると、図１５Ｃに示すように、縦横変換が行われて表示方向が変更されるとともに、変更情報が記憶される（ステップＳ２２:No、ステップＳ２３:Yes、Ｓ２４）。
【００５８】
また、図１５Ｄでは、表面の画像が正方向（正立画像）、裏面の画像が逆方向（倒立画像）であるため、裏面の画像が読み難い方向となる。そこで、裏面側の正逆変換キーを押下し、完了キーを押下すると、図１５Ｅに示すように、正逆変換が行われて表示方向が変更されるとともに、変更情報が記憶される（ステップＳ２２:No、Ｓ２３:No、Ｓ２５:Yes、Ｓ２６）。
【００５９】
また、図１５Ｆに示すように、表面の画像が縦方向、裏面の画像が白紙である場合、無駄な白紙データを出力しないようにするため、裏面側の削除キーを押下し、完了キーを押下すると、図１５Ｇに示すように、裏面の画像が画面から削除されるとともに、変更（削除）情報が記憶される（ステップＳ２２:No、Ｓ２３:No、Ｓ２５:No、Ｓ２７:Yes、Ｓ２８）。
【００６０】
表面の裏面が変更の場合も同様な処理となる（ステップＳ２９〜Ｓ３４）。原稿方向・白紙確認変更画面上で完了キーを押下することにより（ステップＳ３５:Yes）、ステップＳ２２に戻り、ＡＤＦ21に積載されている原稿が無くなるまで（ステップＳ３６:No）繰り返し、実行する。
【００６１】
原稿プレビュー確認変更モード動作（ステップＳ９）のサブルーチンを図１６に示す。まず、原稿プレビュー確認変更画面を画像表示ユニット７のディスプレイ309に表示する（ステップＳ４１）。この画面には、図１７Ａに示すように、１０枚の原稿の表裏の画像、縦横変換キー、正逆変換キー、削除キー、完了キー、前ページキー、後ページキーが表示される。ＡＤＦ21に積載されている原稿の枚数が１０枚を超えている場合は後ページキーを押下することで、１１枚目以降の原稿の表裏の画像を表示させることができる。また、その状態で前ページキーを押下することにより、前ページに戻って再度確認及び変更を行うことができる。
【００６２】
次いで、原稿プレビュー確認変更画面で何枚目の原稿の表裏のどちらが選択されたか、及び変更の内容（縦横変換、正逆変換、削除）に応じて、ステップＳ４３〜Ｓ５５の処理を実行する。ここで、ステップＳ４４〜Ｓ４９は原稿の裏面を変更する場合の処理であり、その内容は図１４のステップＳ２３〜Ｓ２８と同じである。また、ステップＳ５０〜Ｓ５５は原稿の表面を変更する場合の処理であり、その内容は図１４のステップＳ２９〜Ｓ３４と同じである。
【００６３】
図１７Ａでは、２枚目の原稿の表面の画像が縦方向、裏面の画像が横方向であるため、裏面の画像が読み難い方向となる。そこで、変更したい２枚目の原稿の裏面の画像をクリックして選択状態とし、縦横変換キーを押下する。この結果、図１７Ｂに示すように、２枚目の原稿の裏面の画像が縦方向に変換され、読み易くなる。
【００６４】
また、図１７Ａでは、４枚目の原稿の表面の画像が正方向（正立画像）、裏面の画像が逆方向（倒立画像）であるため、裏面の画像が読み難い方向となる。そこで、変更したい４枚目の原稿の裏面の画像をクリックして選択状態とし、正逆変換キーを押下する。この結果、図１７Ｂに示すように、４枚目の原稿の裏面の画像が正方向に変換され、読み易くなる。
【００６５】
また、図１７Ａでは、９枚目の原稿の裏面が白紙であるため、無駄な白紙データが出力されてしまう。そこで、変更（削除）したい９枚目の原稿の裏面の画像をクリックして選択状態とし、削除キーを押下する。この結果、図１７Ｂに示すように、９枚目の原稿の裏面の画像が画面から削除される。
【００６６】
後ページキーが押下された場合（ステップＳ５６:Yes）、又は前ページキーが押下された場合（ステップＳ５７:Yes）は、ステップＳ４１に戻って原稿プレビュー確認変更画面を更新し、原稿プレビュー確認変更画面で完了キーが押下されるまで（ステップＳ５８:Yes）、ステップＳ４１〜Ｓ５７の処理を繰り返す。
【００６７】
原稿読取前変更モード動作（ステップＳ１１）のサブルーチンを図１８に示す。まず、図１９Ａに示すような原稿読取前変更画面を操作部ユニット５のタッチパネル50に表示する（ステップＳ６１）。この画面には、変更したい原稿が何枚目であるかを指定するための入力欄、固定変更キー、「表面原稿変更選択」の文字、「裏面原稿変更選択」の文字、それぞれの文字に対応する縦横変換キー、正逆変換キー、及び削除キー、並びに完了キー及び全原稿変更完了キーが表示される。次いで、ユーザがこの入力欄にテンキー41を用いて入力した数値、及び前記各種キーのどれが押下されたかに応じて、ステップＳ６２〜Ｓ７６の処理を実行する。
【００６８】
ユーザがテンキー41を用いて、変更したい原稿が何枚目であるかを入力した場合（ステップＳ６２:Yes）、「表面原稿変更選択」に対応するキーが押下されたか否かを調べる（ステップＳ６４）。そして、押下されていない場合、即ち「裏面原稿変更選択」に対応するキーが押下されていた場合は（ステップＳ６４:No）、そのキーの種類に応じてステップＳ６５〜Ｓ７０を実行し、「表面原稿変更選択」に対応するキーが押下されていた場合は（ステップＳ６４:Yes）、そのキーの種類に応じてステップＳ７１〜Ｓ７６を実行する。ここで、ステップＳ６５〜Ｓ７０は、原稿の裏面を変更する場合の処理であり、図１４のステップＳ２３〜Ｓ２８と同様、縦横変換、正逆変換、白紙を削除する削除変換を実施するために、各変更情報を記憶する。また、ステップＳ７１〜Ｓ７６は、原稿の表面を変更する場合の処理であり、図１４のステップＳ２９〜Ｓ３４と同様、縦横変換、正逆変換、白紙を削除する削除変換を実施するために、各変更情報を記憶する。原稿１枚毎の完了キーの押下により（ステップＳ７７:Yes）、ステップＳ６１に戻って繰り返し、ＡＤＦ21に積載されている全ての原稿の変更設定が完了した場合に（ステップＳ７８:Yes）、全原稿変更完了キーを押下してリターン（ＲＥＴ）する。入力欄に数値を入力せず、固定変更キーを入力した場合は（ステップＳ６２:No、Ｓ６３:Yes）、ＡＤＦ21に積載されている全ての原稿に対し、同じ内容の変更を行う。
【００６９】
図１９Ｂは３枚目の原稿の裏面の画像を縦横変換する場合の原稿読取前変更画面である。この場合、操作部ユニット５のテンキー41により数値３を入力し、「裏面原稿変更選択」に対応する縦横変換キーを押下する。次いで完了キーを押下することで、図１７Ａの設定画面に戻り、次のページ設定入力待ちとなる。
【００７０】
図１９Ｃは５枚目の原稿の表裏両面の画像を縦横変換する場合の原稿読取前変更画面である。この場合、操作部ユニット５のテンキー41により数値５を入力し、「表面原稿変更選択」に対応する縦横変換キー及び「裏面原稿変更選択」に対応する縦横変換キーの双方を押下する。次いで完了キーを押下することで、図１７Ａの設定画面に戻り、次のページ設定入力待ちとなる。
【００７１】
図１９Ｄは８枚目の原稿の裏面の画像を削除する場合の原稿読取前変更画面である。この場合、操作部ユニット５のテンキー41により数値８を入力し、「裏面原稿変更選択」に対応する削除キーを押下する。次いで完了キーを押下することで、図１７Ａの設定画面に戻り、次のページ設定入力待ちとなる。
【００７２】
図１９Ｅは全ての原稿の表裏両面の画像を縦横変換場合の原稿読取前変更画面である。この場合、操作部ユニット５のテンキー41により数値を入力せず、表裏両面の画像の縦横変換キーを押下し、完了キーを押下する。
【００７３】
本モードは、何枚目の原稿を変更したいかユーザが良く分かっており、確認が不要な場合に有用である。本モードでは、原稿の画像を表示をしないので最短で変更設定ができるからである。また、全ての原稿の表面と裏面に対して、同じ変更を与える場合は、固定変更を設定することで効率良く設定できる。
【００７４】
以上詳細に説明したように、本発明の実施形態の画像形成装置は下記（１）〜（９）の特徴を有する。
（１）ＡＤＦ21で読み取った両面原稿の表裏の画像の方向が異なると、画像をＰＣ上で表示した場合、例えば横方向画像が縦に表示されてしまい、非常に読み辛い。本実施形態では、表裏両面の画像を同時に表示することで表示方向を確認することができるとともに、縦方向、横方向のどちらの方向で出力するかを変更して変更情報を記憶することができ、この記憶した変更情報を基づいて画像データの出力を行うことにより、読み易くすることができる。また、読取前に原稿毎の表面と裏面を個別に縦原稿、横原稿のどちらの方向で出力するかを変更して変更情報を記憶し、この記憶した変更情報を基づいて画像データの出力を行う場合も同様の効果が得られる。
（２）ＡＤＦ21で両面を読み取った原稿の中に表面又は裏面の一方が白紙の片面原稿が含まれていると、画像をＰＣ上で表示した場合、白紙表示となるため、読み辛い。また、全く無駄な白紙のデータがファイルに含まれるので、ＰＣのメモリの記憶容量が無駄となる。本実施形態では、表裏両面の画像を同時に表示することで白紙の有無を確認することができるとともに、白紙の画像データの削除するように変更して変更情報を記憶することができ、この記憶した変更情報を基づいて画像出力を行うことにより、読み易くし、かつメモリの容量の無駄を無くすことができる。また、画像データに基づいて画像形成（コピー出力）を行った場合は、白紙が省かれることにより無駄なコピー出力がなくなり、紙資源が有効に利用されて環境改善につながる。さらに、読取前に白紙の画像データの削除するように変更して変更情報を記憶し、この記憶した変更情報を基づいて画像出力を行う場合も同様の効果が得られる。
（３）表面と裏面で縦方向と横方向になっている場合、及び正方向と逆方向になっている場合のそれぞれに関して、ユーザの希望の設定に変更できる。
（４）画像の方向の変更を指定する手段として、縦横変換キー、正逆変換キー、削除キーを設け、かつ変更がない場合に使用する完了キーを個別に設けているため、ユーザによる確認及び変更が容易である。
（５）原稿方向・白紙確認変更モードが選択されている場合は、原稿表裏の画像をユーザが確認し、表示画像に対して変更できるようにキー入力待ちにすることで、ユーザが確実に変更を行える。
（６）原稿プレビュー確認変更モードでは、ＡＤＦ21に積載されている全ての原稿を一旦読み取ってプレビューで表示することで、全体の状況を把握しつつ画像の方向の変更又は削除を行うことができる。全ての原稿の画像データ及び変更情報は記憶されているので、全ての原稿の画像データに対して、変更処理を行うことができる。
（７）原稿画像の表示を行わない通常モードを設けたことで、変更希望がない場合に画像出力時間を短縮することができる。
（８）両面原稿確認モード選択画面にて、原稿方向・白紙確認変更モード、原稿プレビュー確認変更モード、読取前変更モードなどの中から、所望のモードで両面原稿に対する表示方向の確認及び変更が可能である。
（９）裏面読取用にＣＩＳ213を使用することで、両面同時読取が可能となる。ＣＩＳは縮小光学読取装置のようなミラーを使用しないので、非常にコンパクトな構成でＡＤ21Ｆ内に搭載できる。
【図面の簡単な説明】
【００７５】
【図１】本発明の実施形態の画像形成装置の概略構成を示す図である。
【図２】図１の画像読取ユニットの詳細な構成を示す図である。
【図３】図１の画像表示ユニットの回路構成を示すブロック図である。
【図４】図１の画像表示ユニットの外観の平面図である。
【図５】図１の操作部ユニットの外観の平面図である。
【図６】図１の操作部ユニットのＬＣＤパネル上に形成されるタッチパネルキーの一例を示す平面図である。
【図７】図６の変倍キー押下による画面展開の一例を示す図である。
【図８】タッチパネル検出回路を示す図である。
【図９】タッチパネル検出回路の各端子に設定される電圧を示す図である。
【図１０】図１の操作部ユニッの回路構成を示すブロック図である。
【図１１】本発明の実施形態の画像形成装置のシステム制御ユニット、画像読取ユニット、画像処理ユニット、操作部ユニット、複写機機構部、及び画像表示ユニットの電気的接続関係、並びに画像読取ユニット及び画像処理ユニットの詳細を示すブロック図である。
【図１２】両面原稿変更モード選択の処理を示すフローチャートである。
【図１３】モード選択画面を示す図である。
【図１４】原稿方向・白紙確認変更モード動作の処理を示すフローチャートである。
【図１５】原稿方向・白紙確認変更画面を示す図である。
【図１６】原稿プレビュー確認変更モードの処理を示すフローチャートである。
【図１７】原稿プレビュー確認変更画面を示す図である。
【図１８】原稿読取前変更モードの処理を示すフローチャートである。
【図１９】原稿読取前変更画面を示す図である。
【符号の説明】
【００７６】
１・・・システム制御ユニット、２・・・画像読取ユニット、３・・・画像処理ユニット、５・・・操作部ユニット、７・・・画像表示ユニット、21・・・ＡＤＦ、22・・・縮小光学読取装置、213・・・ＣＩＳ、225・・・３ラインＣＣＤセンサ、51・・・両面原稿モード選択キー、512・・・通常モード選択キー、522・・・原稿方向・白紙確認変更モード選択キー、523・・・原稿プレビュー確認変更モード選択キー、524・・・原稿読取前変更モード選択キー。
【図１】
2008118565.tif 000003
【図２】
2008118565.tif 000004
【図３】
2008118565.tif 000005
【図４】
2008118565.tif 000006
【図５】
2008118565.tif 000007
【図６】
2008118565.tif 000008
【図７】
2008118565.tif 000009
【図８】
2008118565.tif 000010
【図９】
2008118565.tif 000011
【図１０】
2008118565.tif 000012
【図１１】
2008118565.tif 000013
【図１２】
2008118565.tif 000014
【図１３】
2008118565.tif 000015
【図１４】
2008118565.tif 000016
【図１５】
2008118565.tif 000017
【図１６】
2008118565.tif 000018
【図１７】
2008118565.tif 000019
【図１８】
2008118565.tif 000020
【図１９】
2008118565.tif 000021